(57)【要約】【課題】シート状部材の設置状態の安定化を図ることのできる蓋付き容器を提供する。【解決手段】容器１は、略矩形板状の底壁部１１と、側壁部１２、１３とを具備する容器本体２と、略矩形板状の天板部３１と、縁壁部３２、３３とを具備し、容器本体２を閉塞可能な蓋部材４とを備える。蓋部材４の長辺側縁壁部３２には、外方に突出する傾斜支持突部３７が設けられる。傾斜支持突部３７を接地させるようにして蓋部材４を起立姿勢とするとともに、容器本体２のうち一方の長辺側側壁部１２側を蓋部材４の内側に進入させて、長辺側縁壁部３２に底壁部１１を載置させることにより、蓋部材４を起立姿勢で保持可能に構成されている。蓋部材４が起立姿勢で保持された状態では、天板部３１が上方に向けて容器本体２から離間する側に傾斜して延びるとともに、天板部３１と、長辺側側壁部１２との間に、シート状の指示書の下部を挿入可能な指示書挿入部５１が設けられる。【選択図】      図３
2018203337.tif 000002
【特許請求の範囲】
【請求項１】
略矩形板状の底壁部と、前記底壁部の各側辺部から上方に延びる側壁部とを具備する容器本体と、
略矩形板状の天板部と、前記天板部の各側辺部から下方に延びる縁壁部とを具備し、前記容器本体を閉塞可能な蓋部材とを備える蓋付き容器において、
前記蓋部材の前記縁壁部には、少なくとも前記縁壁部の下端部側の位置において外方に突出する傾斜支持突部が設けられ、
前記傾斜支持突部を接地させるようにして前記蓋部材を起立姿勢とするとともに、前記容器本体の前記底壁部の一側辺部側を前記蓋部材の内側に進入させて、前記傾斜支持突部が設けられた前記縁壁部の内面の上側に前記底壁部を載置させることにより、前記蓋部材を前記起立姿勢で保持可能に構成され、
前記蓋部材が前記起立姿勢で保持された状態において、前記天板部が上方に向けて前記容器本体から離間する側に傾斜して延びるとともに、前記天板部と、前記容器本体の前記側壁部との間に、シート状部材の下部を挿入可能なシート状部材挿入部が設けられることを特徴とする蓋付き容器。
【請求項２】
前記底壁部の下面には、本体側段積み位置決め手段が設けられ、
前記天板部の上面には、前記容器本体に前記蓋部材を被せた状態で蓋付き容器同士を上下に積み重ねた場合に、上側の蓋付き容器の前記本体側段積み位置決め手段と水平方向において当接又は近接する蓋側段積み位置決め手段が設けられ、
前記蓋部材をその開口部が上方を向くようにして逆向きに設置するとともに、当該逆向きの蓋部材の内側に対し、前記容器本体のうち少なくとも前記底壁部を含む下部を収容可能に構成され、
前記蓋側段積み位置決め手段は、前記天板部の外周縁に隣接、又は、近接して複数設けられるとともに、前記複数の蓋側段積み位置決め手段は、前記天板部の中央部を中心として点対称形状となるように構成され、
前記蓋部材の前記天板部の上面の上側に、前記逆向きの蓋部材を重ねることで、下側の前記蓋部材と、上側の前記逆向きの蓋部材との前記蓋側段積み位置決め手段同士が水平方向において当接又は近接する構成であって、
前記底壁部は、透明、又は、半透明の材料により構成され、
前記逆向きの蓋部材の内側に前記容器本体を収容した状態において、前記逆向きの蓋部材の前記天板部と、当該蓋部材の内側に収容された前記容器本体の前記底壁部との間に、前記シート状部材を設置可能なシート状部材設置部が設けられることを特徴とする請求項１に記載の蓋付き容器。
【請求項３】
前記底壁部の下面には、本体側段積み位置決め手段が設けられ、
前記天板部の上面には、前記容器本体に前記蓋部材を被せた状態で蓋付き容器同士を上下に積み重ねた場合に、上側の蓋付き容器の前記本体側段積み位置決め手段と水平方向において当接又は近接する蓋側段積み位置決め手段が設けられ、
前記蓋部材をその開口部が上方を向くようにして逆向きに設置するとともに、当該逆向きの蓋部材の内側に対し、前記容器本体のうち少なくとも前記底壁部を含む下部を収容可能に構成され、
前記蓋側段積み位置決め手段は、前記天板部の外周縁に隣接、又は、近接して複数設けられるとともに、前記複数の蓋側段積み位置決め手段は、前記天板部の中央部を中心として点対称形状となるように構成され、
前記蓋部材の前記天板部の上面の上側に、前記逆向きの蓋部材を重ねることで、下側の前記蓋部材と、上側の前記逆向きの蓋部材との前記蓋側段積み位置決め手段同士が水平方向において当接又は近接する構成であって、
前記底壁部、及び、前記天板部は、透明、又は、半透明の材料により構成され、
前記蓋部材の前記天板部の上面の上側に前記逆向きの蓋部材を載置した状態において、前記蓋部材の前記天板部の上面と、前記逆向きの蓋部材の前記天板部との間に、前記蓋側段積み位置決め手段によって囲まれ、前記シート状部材を設置可能なシート状部材設置部が設けられることを特徴とする請求項１又は２に記載の蓋付き容器。
【請求項４】
前記傾斜支持突部は、前記縁壁部の上端部側から下端部側に向けて前記縁壁部の外周側に傾斜して延び、前記蓋部材を前記起立姿勢とする場合に面で接地可能な支持面を備えていることを特徴とする請求項１乃至３のいずれかに記載の蓋付き容器。
【発明の詳細な説明】
【技術分野】
【０００１】
本発明は、物品の運搬等に使用される蓋付き容器に関するものである。
【背景技術】
【０００２】
従来、複数種類の物品が予め定められた位置に収容される容器本体と、容器本体を閉塞可能な蓋部材とを備える容器が知られている。また、容器本体に物品を収容する作業に際しては、容器本体の内側における物品の配置が記された指示書等のシート状部材を参照することがある。例えば、蓋部材が容器本体に対して回動可能に連結されるとともに、開状態にある蓋部材が容器本体に対して約９０度回動変位した起立姿勢で保持されるように構成された容器（例えば、特許文献１等参照。）に関しては、シート状部材を起立姿勢にある蓋部材の裏面（内側の面）に立て掛けるようにして設置することが考えられる。
【先行技術文献】
【特許文献】
【０００３】
【特許文献１】実公昭４６−１４５２８号公報
【発明の概要】
【発明が解決しようとする課題】
【０００４】
ところで、シート状部材を起立姿勢にある蓋部材の裏面に立て掛ける場合には、シート状部材が容器本体側に傾倒したり、シート状部材の下部が容器本体側にスライド変位したりして、シート状部材を好適に立て掛けることが困難となるおそれがある。また、シート状部材をテープ等で蓋部材に貼着することも考えられるが、この場合には、物品の収容作業の前後でテープ等を貼ったり剥がしたりする手間が増え、作業性の低下を招くことが懸念される。
【０００５】
本発明は、上記例示した問題点等を解決するためになされたものであって、その目的は、シート状部材の設置状態の安定化を図ることのできる蓋付き容器を提供することにある。
【課題を解決するための手段】
【０００６】
以下、上記目的等を解決するのに適した各手段につき項分けして説明する。なお、必要に応じて対応する手段に特有の作用効果等を付記する。
【０００７】
手段１．略矩形板状の底壁部と、前記底壁部の各側辺部から上方に延びる側壁部とを具備する容器本体と、
略矩形板状の天板部と、前記天板部の各側辺部から下方に延びる縁壁部とを具備し、前記容器本体を閉塞可能な蓋部材とを備える蓋付き容器において、
前記蓋部材の前記縁壁部には、少なくとも前記縁壁部の下端部側の位置において外方に突出する傾斜支持突部が設けられ、
前記傾斜支持突部を接地させるようにして前記蓋部材を起立姿勢とするとともに、前記容器本体の前記底壁部の一側辺部側を前記蓋部材の内側に進入させて、前記傾斜支持突部が設けられた前記縁壁部の内面の上側に前記底壁部を載置させることにより、前記蓋部材を前記起立姿勢で保持可能に構成され、
前記蓋部材が前記起立姿勢で保持された状態において、前記天板部が上方に向けて前記容器本体から離間する側に傾斜して延びるとともに、前記天板部と、前記容器本体の前記側壁部との間に、シート状部材の下部を挿入可能なシート状部材挿入部が設けられることを特徴とする蓋付き容器。
【０００８】
手段１によれば、縁壁部の外面側に傾斜支持突部が設けられることにより、起立姿勢とされた蓋部材の天板部を上方に向けて容器本体から離間する側により大きく傾斜させることができる。従って、蓋部材が起立姿勢で保持された状態において、蓋部材の天板部と、容器本体のうち蓋部材に挿入された側壁部との間にシート状部材挿入部を確実に形成することができるとともに、シート状部材を起立姿勢の蓋部材の天板部の裏面に立て掛けることで、シート状部材が作業者から見易い角度とされる上、シート状部材が容器本体側に傾倒してしまうといった事態を回避することができる。また、天板部に立て掛けられたシート状部材の下部は、シート状部材挿入部に挿入されていることから、シート状部材の下部が容器本体側にスライド変位して脱落してしまうといった事態をより確実に防止することができる。結果として、シート状部材を見易い位置に安定して設置することができ、シート状部材を確認しつつの作業性の向上、例えば、シート状部材が、容器本体の内側における物品の配置が記された指示書の場合には、物品を容器本体の規定の位置に収容する際の作業性の向上を図ることができる。加えて、シート状部材を天板部に固定するためのテープ等を貼着しなくても済むことから、物品の収容作業性の向上を図るとともに、テープ等の剥がし忘れ、及び、剥がし残しの発生を回避することができる。
【０００９】
さらに、容器本体の底壁部は、一側部側が起立姿勢にある蓋部材の内側に挿入されて、傾斜支持突部が設けられた縁壁部の内面の上側に載置される。このため、底壁部は、蓋部材側に向けて若干上方傾斜することとなる。従って、容器本体を挟んで、起立姿勢の蓋部材と向き合わせで物品の収容作業等を行う作業者にとっては、容器本体の内部が手前側に若干下方傾斜し、容器本体の内部が比較的見易くなるとともに、容器本体に対する物品の出し入れを比較的行い易くすることができる。結果として、物品の収容作業性の向上をより一層図ることができる。特に、作業者に対して比較的高い位置に設置されている容器本体に対して物品の収容作業を行う場合には、かかる作用効果がより顕著に奏される。
【００１０】
加えて、容器本体と、蓋部材とが回動可能に連結される場合のように、連結部分が損傷し、場合によっては使用できなくなってしまうといった事態を回避することができる。
【００１１】
尚、傾斜支持部が設けられることによって、蓋部材が起立姿勢とされた状態では、傾斜支持突部が設けられた縁壁部は、天板部側に向けて下方傾斜する。これにより、シート状部材の下端部が当該縁壁部の内面に当接して支持される場合に、シート状部材の下端部の容器本体側への変位が規制されることとなり、シート状部材の設置状態の安定化を図ることができる。
【００１２】
手段２．前記底壁部の下面には、本体側段積み位置決め手段が設けられ、
前記天板部の上面には、前記容器本体に前記蓋部材を被せた状態で蓋付き容器同士を上下に積み重ねた場合に、上側の蓋付き容器の前記本体側段積み位置決め手段と水平方向において当接又は近接する蓋側段積み位置決め手段が設けられ、
前記蓋部材をその開口部が上方を向くようにして逆向きに設置するとともに、当該逆向きの蓋部材の内側に対し、前記容器本体のうち少なくとも前記底壁部を含む下部を収容可能に構成され、
前記蓋側段積み位置決め手段は、前記天板部の外周縁に隣接、又は、近接して複数設けられるとともに、前記複数の蓋側段積み位置決め手段は、前記天板部の中央部を中心として点対称形状となるように構成され、
前記蓋部材の前記天板部の上面の上側に、前記逆向きの蓋部材を重ねることで、下側の前記蓋部材と、上側の前記逆向きの蓋部材との前記蓋側段積み位置決め手段同士が水平方向において当接又は近接する構成であって、
前記底壁部は、透明、又は、半透明の材料により構成され、
前記逆向きの蓋部材の内側に前記容器本体を収容した状態において、前記逆向きの蓋部材の前記天板部と、当該蓋部材の内側に収容された前記容器本体の前記底壁部との間に、前記シート状部材を設置可能なシート状部材設置部が設けられることを特徴とする手段１に記載の蓋付き容器。
【００１３】
手段２によれば、容器本体が蓋部材で閉塞された状態の蓋付き容器同士を上下に積み重ねる（段積みする）ことができ、運搬作業性の向上、保管に際しての利便性の向上等を図ることができる。また、段積み状態にある蓋付き容器に対して物品を収容する場合に、段積みされた蓋付き容器のうち一番上側（最上段）の蓋付き容器を開状態とする場合には、最上段の蓋付き容器に関し、蓋部材を逆向きとして、当該蓋部材の内側に容器本体の下部を収容するとともに、当該蓋付き容器を、容器本体が蓋部材で閉塞された蓋付き容器に載置する（段積みする）ことで、蓋部材と、当該蓋部材に載置された逆向きの蓋部材との蓋側段積み位置決め手段同士が水平方向において当接又は近接する（略係止状態とされる）ように構成されている。従って、蓋付き容器の段積み状態を維持したまま、最上段の蓋付き容器を開状態とすることができ、例えば、物品を収容する作業を上側の蓋付き容器から順次行ったり、蓋付き容器に収容された物品の展示を行ったりすることができる。結果として、物品の収容作業性の向上、利便性の向上等を図ることができる。
【００１４】
さらに、本手段２によれば、段積みされた蓋付き容器のうち最上段の蓋付き容器の蓋部材を逆向きとして内側に容器本体を収容し、当該容器本体に物品を収容する作業を行う場合に、例えば、容器本体の内側に収容されていたシート状部材を逆向きとした蓋部材の内側に設置し、当該シート状部材の上方に容器本体を収容することで、透明、又は、半透明な材料で構成された底壁部を介して、シート状部材を目視することができる。従って、物品の設置位置の真下にシート状部材を設置することができる。そのため、シート状部材が、例えば、指示書である場合には、物品の配置がより認識し易くなり、指示書を確認しつつ物品を容器本体の規定の位置に収容する際の作業性の向上を図ることができる。
また、逆向きとされた蓋部材の天板部と、その内側に収容された容器本体の底壁部との間にシート状部材が設置された状態（例えば、物品の収容作業の最中等）においては、シート状部材が蓋部材の内側に設置されていることから、シート状部材が脱落する等の事態を回避することができる。さらに、最上段の蓋部材を開状態としての作業（物品の収容作業等）が終わった場合には、容器本体を逆向きの蓋部材から取出すことで、逆向きの蓋部材の内側に設置されたシート状部材を取出すことができる。
【００１５】
加えて、シート状部材を固定するためのテープ等を貼着しなくても済むことから、物品の収容作業性の向上を図るとともに、テープ等の剥がし忘れ、及び、剥がし残しの発生を回避することができる。また、容器本体と、蓋部材とが回動可能に連結される場合のように、連結部分が損傷し、場合によっては使用できなくなってしまうといった事態を回避することができる。
【００１６】
手段３．前記底壁部の下面には、本体側段積み位置決め手段が設けられ、
前記天板部の上面には、前記容器本体に前記蓋部材を被せた状態で蓋付き容器同士を上下に積み重ねた場合に、上側の蓋付き容器の前記本体側段積み位置決め手段と水平方向において当接又は近接する蓋側段積み位置決め手段が設けられ、
前記蓋部材をその開口部が上方を向くようにして逆向きに設置するとともに、当該逆向きの蓋部材の内側に対し、前記容器本体のうち少なくとも前記底壁部を含む下部を収容可能に構成され、
前記蓋側段積み位置決め手段は、前記天板部の外周縁に隣接、又は、近接して複数設けられるとともに、前記複数の蓋側段積み位置決め手段は、前記天板部の中央部を中心として点対称形状となるように構成され、
前記蓋部材の前記天板部の上面の上側に、前記逆向きの蓋部材を重ねることで、下側の前記蓋部材と、上側の前記逆向きの蓋部材との前記蓋側段積み位置決め手段同士が水平方向において当接又は近接する構成であって、
前記底壁部、及び、前記天板部は、透明、又は、半透明の材料により構成され、
前記蓋部材の前記天板部の上面の上側に前記逆向きの蓋部材を載置した状態において、前記蓋部材の前記天板部の上面と、前記逆向きの蓋部材の前記天板部との間に、前記蓋側段積み位置決め手段によって囲まれ、前記シート状部材を設置可能なシート状部材設置部が設けられることを特徴とする手段１又は２に記載の蓋付き容器。
【００１７】
手段３によれば、上記手段２と同様にして、蓋付き容器の段積み状態を維持したまま、最上段の蓋付き容器を開状態とすることができ、例えば、物品を収容する作業を上側の蓋付き容器から順次行ったり、蓋付き容器に収容された物品の展示を行ったりすることができる。結果として、物品の収容作業性の向上、利便性の向上等を図ることができる。
【００１８】
さらに、本手段３によれば、段積みされた蓋付き容器のうち最上段の蓋付き容器の蓋部材を逆向きとして内側に容器本体を収容し、当該容器本体に物品を収容する作業を行う場合に、例えば、容器本体の内側に収容されていたシート状部材を、下側の蓋付き容器の天板部の上面に設置し、最上段の蓋付き容器を段積みすることで、透明、又は、半透明な材料により構成された底壁部、及び、天板部を介して、シート状部材を目視することができる。従って、物品の設置位置の真下にシート状部材を設置することができ、例えば、シート状部材が指示書の場合には、物品の配置がより認識し易くなり、指示書を確認しつつ物品を容器本体の規定の位置に収容する際の作業性の向上を図ることができる。また、蓋部材が逆向きとされた最上段の蓋付き容器の天板部と、上から２番目の蓋付き容器の蓋部材の天板部の上面との間にシート状部材が設置された状態（例えば、物品の収容作業の最中等）においては、シート状部材が蓋側段積み位置決め手段によって囲まれていることから、シート状部材が脱落する等の事態を回避することができる。さらに、最上段の蓋部材を開状態としての作業（物品の収容作業等）が終わった場合には、蓋付き容器を段積みの列から取外すことで、当該蓋付き容器の下方に設置されたシート状部材を取出すことができる。
【００１９】
加えて、シート状部材を固定するためのテープ等を貼着しなくても済むことから、物品の収容作業性の向上を図るとともに、テープ等の剥がし忘れ、及び、剥がし残しの発生を回避することができる。また、容器本体と、蓋部材とが回動可能に連結される場合のように、連結部分が損傷し、場合によっては使用できなくなってしまうといった事態を回避することができる。
【００２０】
尚、「前記天板部の上面の上側に前記底壁部を載置した状態において、前記天板部の上面と、前記底壁部の下面との間に、前記本体側段積み位置決め手段、及び、前記蓋側段積み位置決め手段のうち少なくとも一方によって囲まれる前記シート状部材設置部が設けられること」としてもよい。この場合、例えば、蓋付き容器を段積みする段階で、各蓋付き容器の下側にシート状部材を設置しておけば、最上段の蓋付き容器に対し物品を収容する作業を行うにあたり、最上段の蓋付き容器の蓋部材を逆向きとして容器本体を収容し、段積み状態に戻すだけで、当該最上段の蓋付き容器の底壁部、及び、天板部を介して、シート状部材を視認可能とすることができる。
【００２１】
手段４．前記傾斜支持突部は、前記縁壁部の上端部側から下端部側に向けて前記縁壁部の外周側に傾斜して延び、前記蓋部材を前記起立姿勢とする場合に面で接地可能な支持面を備えていることを特徴とする手段１乃至３のいずれかに記載の蓋付き容器。
【００２２】
手段４によれば、蓋部材が起立姿勢にある状態において、傾斜支持突部による支持状態の安定化を図ることができる。また、傾斜支持突部、及び、その周辺部位の剛性を高めることができ、同部位の損傷等を抑制することができる。
【図面の簡単な説明】
【００２３】
【図１】容器本体を開状態として蓋部材を起立姿勢で保持させた状態を示す蓋付き容器の斜視図である。
【図２】閉状態にある蓋付き容器の斜視図である。
【図３】図１に示す蓋付き容器からインナー容器を省略した状態を示す断面図である。
【図４】閉状態にある蓋付き容器の部分断面図である。
【図５】容器本体の上面側斜視図である。
【図６】容器本体の下面側斜視図である。
【図７】蓋部材の上面側斜視図である。
【図８】蓋部材の下面側斜視図である。
【図９】ロック部材の外面側斜視図である。
【図１０】ロック部材の内面側斜視図である。
【図１１】逆向きとされた蓋部材に収容された容器本体に対してインナー容器を収容した状態を示す蓋付き容器の斜視図である。
【図１２】逆向きとされた蓋部材と、その内側に収容された容器本体とを示す（図１１に示す蓋付き容器からインナー容器を省略した状態を示す）部分断面図である。
【図１３】蓋付き容器を段積み状態とし、最上段の蓋付き容器に関しては蓋部材を逆向きとして載置された状態を示す斜視図である。
【図１４】段積み状態における下側の蓋付き容器（例えば、図１３の下から１番目の蓋付き容器）の蓋部材の段積み突部と、その上側の蓋付き容器（例えば、図１３の下から２番目の蓋付き容器）の容器本体の支持リブとの位置関係を示す断面模式図である。
【図１５】段積み状態において蓋部材が逆向きとされた最上段の蓋付き容器（例えば、図１３の上から１番目の蓋付き容器）の蓋部材の段積み突部と、その下側の蓋付き容器（例えば、図１３の上から２番目の蓋付き容器）の蓋部材の段積み突部との位置関係を示す平面模式図である。
【発明を実施するための形態】
【００２４】
以下に、一実施形態について図面を参照して説明する。図１等に示すように、蓋付き容器１は、上方に開口する容器本体２と、容器本体２に収容される複数のインナー容器３と、容器本体２に被せられる蓋部材４とを備えている。図５、図６等に示すように、容器本体２は、略矩形板状の底壁部１１と、底壁部１１の長側辺部から上方に延びる長辺側側壁部１２と、底壁部１１の短側辺部から上方に延びる短辺側側壁部１３とを備えている。図１、図１１に示すように、インナー容器３は、略矩形板状の底板部２１と、底板部２１の長側辺部から上方に延びる長辺側側板部２２と、底板部２１の短側辺部から上方に延びる短辺側側板部２３とを備えている。図７、図８等に示すように、蓋部材４は、略矩形板状の天板部３１と、天板部３１の長側辺部から下方に延びる長辺側縁壁部３２と、天板部３１の短側辺部から下方に延びる短辺側縁壁部３３とを備え、容器本体２に対して着脱自在に構成されている。本実施形態では、容器本体２、インナー容器３、及び、蓋部材４は、透明、又は、半透明なポリプロピレンにより構成されている。
【００２５】
図１等に示すように、容器本体２には、大きさ、及び、形状の異なる複数種類のインナー容器３を収容可能に構成されている。また、図１１に示すように、インナー容器３を、その開口部が下方を向く逆向きとして容器本体２に収容することも可能である。尚、図１１に示すように、インナー容器３は、底板部２１の下面のうち底板部２１の各コーナー部の近傍部位から下方に突出する略円筒状の支持突部２４を備え、支持突部２４は、開口部が上方を向く通常向きとしてインナー容器３を容器本体２に収容する場合に、底壁部１１と当接して支持されるように構成されている。
【００２６】
図２、図４等に示すように、蓋部材４の天板部３１は、容器本体２の一対の長辺側側壁部１２の上辺部、及び、一対の短辺側側壁部１３の上辺部で構成される枠状部よりも一回り大きく構成され、容器本体２の開口部を閉塞可能に構成されている。加えて、蓋部材４の長辺側縁壁部３２、及び、短辺側縁壁部３３の上下幅は、容器本体２の長辺側側壁部１２、及び、短辺側側壁部１３の上下幅よりも短く構成され、蓋部材４を容器本体２に被せた状態で、長辺側縁壁部３２、及び、短辺側縁壁部３３が、容器本体２が設置されている床面等の設置面よりも上方に位置するように構成されている。
【００２７】
さらに、図１等に示すように、インナー容器３の上下幅は、容器本体２の長辺側側壁部１２、及び、短辺側側壁部１３の底壁部１１からの延出長よりも若干短く構成されており、インナー容器３の上端部が、容器本体２に被せられた蓋部材４の天板部３１の下面と近接するようになっている。尚、蓋部材４の長辺側縁壁部３２、及び、短辺側縁壁部３３は、容器本体２の長辺側側壁部１２、及び、短辺側側壁部１３、並びに、インナー容器３の長辺側側板部２２、及び、短辺側側板部２３と同様に、開口部側に向けて外方に若干傾斜して延びている。
【００２８】
また、図２、図７等に示すように、各短辺側縁壁部３３の外面側には、ロック部材４１を取付けるためのロック取付凹部３４が、短辺側縁壁部３３の横幅方向中央部を内側に凹ませるようにして設けられている。さらに、図７、図９、図１０に示すように、ロック部材４１は、ロック取付凹部３４の両内側側面の上部において設けられた軸孔３５に軸支される一対の軸部４２を備えるとともに、ロック取付凹部３４の両内側側面の下部において設けられた係止部３６に係止される被係止部４３を備えている。ロック部材４１は、短辺側縁壁部３３の上下方向に沿って延びるロック位置とされることで、被係止部４３が係止部３６に係止され、ロック部材４１の下部が外方に開く解除位置とされることで、被係止部４３と係止部３６との係止状態が解除されるようになっている。
【００２９】
また、図４等に示すように、ロック取付凹部３４は、ロック部材４１の厚みよりも若干深く構成されており、ロック位置のロック部材４１が短辺側縁壁部３３から外方に突出しないようにすることができる。加えて、図７、図８に示すように、ロック取付凹部３４における短辺側縁壁部３３の下辺部の位置は、短辺側縁壁部３３のその他の一般部位の下辺部よりも一段上方に位置している。さらに、ロック部材４１の上下幅は、短辺側縁壁部３３の一般部位の上下幅よりも若干短い程度となっている。このため、図１、図３等に示すように、ロック取付凹部３４に取付けられたロック部材４１の内面の下部は、蓋部材４の内周側に露出する構成となっている。また、図３、図４に示すように、当該ロック部材４１の内面の露出部位にはロック部材４１の横幅方向全域に延びる離脱防止リブ４４が設けられている。
【００３０】
その一方で、図１等に示すように、容器本体２の各短辺側側壁部１３の外面側には、蓋部材４を被せる際に、ロック部材４１の挿通を許容するロック挿通許容凹部１４が、短辺側側壁部１３の横幅方向中央部を内側に凹ませるようにして設けられている。ロック挿通許容凹部１４における短辺側側壁部１３の上辺部（ロック挿通許容凹部１４の上縁部）の位置は、短辺側側壁部１３のその他の一般部位の上辺部よりも一段下方に位置している。さらに、ロック挿通許容凹部１４には、ロック挿通許容凹部１４の上縁部よりも若干下方位置において、ロック挿通許容凹部１４の上縁部に沿って延び、短辺側側壁部１３の外面から外方に突出する係止リブ１５が設けられている。そして、ロック部材４１を解除位置として、蓋部材４を容器本体２に被せてから、図２、図４に示すように、ロック部材４１をロック位置に変位させて、ロック部材４１の被係止部４３と、ロック取付凹部３４の係止部３６とを係止させる（ロック状態とする）ことで、ロック部材の離脱防止リブ４４が、ロック挿通許容凹部１４の係止リブ１５の下方に位置して、係止リブ１５の下面と当接、又は、近接する（係止状態とされる）こととなる。
【００３１】
さて、図７、図８等に示すように、本実施形態の蓋部材４は、各長辺側縁壁部３２の横幅方向両端部寄りの部位において、長辺側縁壁部３２を外方に向けて断面略コ字状に膨出させるようにして設けられた傾斜支持突部３７を備えている。傾斜支持突部３７は、長辺側縁壁部３２の上縁部付近から下縁部にかけて上下に延びており、傾斜支持突部３７の外面は、傾斜支持突部３７の突出長が下方に向けて次第に大きくなるようにして傾斜して延びている。
【００３２】
特に、図３、図７等に示すように、傾斜支持突部３７の外面のうち、上端部近傍部位は、それよりも下方の部位に比べ、長辺側縁壁部３２に対する傾斜が大きくなっており、本実施形態では、長辺側縁壁部３２と天板部３１とが連結されているコーナー部と、傾斜支持突部３７の外面の下端部との間を繋ぐ仮想直線上に傾斜支持突部３７の外面が延在するように構成されている。このため、容器本体２から外された蓋部材４を、一方の長辺側縁壁部３２の外面側を接地させるようにして起立姿勢とした場合、傾斜支持突部３７の外面のうち前記仮想直線上に延びる部位（以下、「支持面３８」と称する）が面で接地することとなる。また、本実施形態では、長辺側縁壁部３２と天板部３１とが連結されているコーナー部についても、蓋部材４が起立姿勢とされた場合に、支持面３８とともに接地することとなる。
【００３３】
そして、図１、図３に示すように、蓋部材４を起立姿勢とするとともに、容器本体２の一方の長辺側側壁部１２を当該蓋部材４の内側に進入させて、外面側（に設けられた傾斜支持突部３７の支持面３８）が接地されている長辺側縁壁部３２の内面の上側に容器本体２の底壁部１１を載置させる。これにより、蓋部材４が起立姿勢で保持されるようになっている。
【００３４】
また、図示は省略するが、インナー容器３や物品の収容作業に際して、起立姿勢で保持された蓋部材４の天板部３１の裏面に対し、容器本体２の内側におけるインナー容器３の配置や、各インナー容器３に収容される物品が記されたシート状部材としての指示書が立て掛けられ、当該指示書を確認しながら収容作業が行われるようになっている。
【００３５】
さらに、起立姿勢とされた蓋部材４は、一対の傾斜支持突部３７により支持されていることから、起立姿勢とされた蓋部材４の天板部３１は、上方に向けて容器本体２から離間する側に傾斜して延在する。本実施形態では、天板部３１の裏面と、設置面とのなす角度が約１００度となっている。その一方で、容器本体２についても、一方の長辺側側壁部１２側の底壁部１１が、長辺側縁壁部３２に載置されている分、底壁部１１が蓋部材４側に向けて若干上方傾斜している。以上のような構成により、図３に示すように、蓋部材４の内側に挿入されている長辺側側壁部１２の外面と、天板部３１の裏面との間には、前記指示書の下部を挿入可能なシート状部材挿入部としての隙間（以下、「指示書挿入部５１」と称する）が設けられることとなる。
【００３６】
加えて、図３に示すように、蓋部材４が起立姿勢とされた状態では、傾斜支持突部３７の支持面３８が設置面に対して面で当接する（接地する）ように構成されている。さらに、蓋部材４が起立姿勢とされた状態では、接地している傾斜支持突部３７が設けられた長辺側縁壁部３２（傾斜支持突部３７以外の一般部）は、天板部３１側に向けて下方傾斜している。
【００３７】
また、図１３に示すように、本実施形態では、容器本体２に蓋部材４を被せた状態で蓋付き容器１同士を上下に積み重ねる（段積みする）ことができるように構成されている。より具体的には、図４、図６等に示すように、容器本体２の底壁部１１の下面には、底壁部１１の外周縁よりも所定距離内周側に変位した位置において、底壁部１１の外周縁に沿って延びる略四角枠状の本体側段積み位置決め手段としての支持リブ１６が設けられている。容器本体２は、支持リブ１６において設置面と当接して支持されるように構成されている。
【００３８】
その一方で、図４、図７等に示すように、蓋部材４の天板部３１の上面には、天板部３１の各コーナー部の近傍位置において、蓋側段積み位置決め手段としての段積み突部３９が設けられている。本実施形態では、天板部３１の各コーナー部に対応して、天板部３１の長側辺部に隣接する段積み突部３９と、短側辺部に隣接する段積み突部３９とが設けられ、全体として段積み突部３９が８つ設けられている。そして、容器本体２に蓋部材４を被せた状態で蓋付き容器１を（図１３の下側３段の蓋付き容器１のように）段積みした場合には、図１４に示すように、上側の蓋付き容器１の支持リブ１６の外周面に対し、下側の蓋付き容器１の各段積み突部３９が当接又は近接するようになっている。これにより、支持リブ１６と、段積み突部３９とが水平方向において略係止状態とされ、段積みされた蓋付き容器１の水平方向における相対変位（位置ずれ）が防止されるようになっている。
【００３９】
尚、本実施形態では、支持リブ１６の底壁部１１からの突出長と、段積み突部３９の天板部３１からの突出長とが同じとなっている。さらに、蓋部材４を起立姿勢とする場合に、段積み突部３９が起立姿勢とされる蓋部材４を阻害しないように構成されている。つまり、蓋部材４を起立姿勢とした場合に、傾斜支持突部３７の支持面３８を面で接地可能となっていればよく（本例では、長辺側縁壁部３２と天板部３１とが連結されているコーナー部についても接地する）、蓋部材４を起立姿勢とした場合に、段積み突部３９のうち天板部３１の長側辺部に沿って設けられている段積み突部３９の先端部が、支持面３８とともに接地する、或いは、設置面から上方に離間するように構成されていればよい。
【００４０】
また、本実施形態では、図１１、図１２に示すように、蓋部材４をその開口部が上方を向くようにして逆向きに設置するとともに、当該逆向きの蓋部材４の内側に対し、容器本体２の底壁部１１を収容可能に構成されている。つまり、段積み状態にある蓋付き容器１に対して、順次、物品を収容する場合には、図１３に示すように、段積みされた蓋付き容器１のうち一番上側（最上段）の蓋付き容器１に関し、蓋部材４を一旦取外して、蓋部材４を逆向きとし、その内側に容器本体２を収容した後、当該蓋付き容器１を、再度、段積み状態として、当該蓋付き容器１に対し物品を収容する作業を行うようになっている。
【００４１】
さらに、図７等に示すように、蓋部材４に設けられた複数の段積み突部３９は、天板部３１の中央部を中心として点対称形状となるように設けられている。このため、蓋部材４の上面の上側に、逆向きの蓋部材４を重ねることで、図１５に示すように、下側の蓋部材４の段積み突部３９と、その上側に載置された逆向きの蓋部材４の段積み突部３９（図１５の２点鎖線参照）とが水平方向において当接又は近接するようになっている。これにより、段積みされた蓋付き容器１のうち最上段の蓋付き容器１の蓋部材４を逆向きとして、その内側に容器本体２を収容し、再度、段積み状態とすることで、最上段の蓋付き容器１の段積み突部３９と、その下側の（上から２段目の）蓋付き容器１の段積み突部３９とが水平方向において略係止状態とされ、最上段の蓋付き容器１と、上から２段目の蓋付き容器１との相対変位（位置ずれ）が防止されるようになっている。
【００４２】
また、図１２に示すように、逆向きの蓋部材４の内側に容器本体２を収容した状態においては、逆向きの蓋部材４の天板部３１と、当該蓋部材４の内側に収容された容器本体２の底壁部１１との間に、指示書（シート状部材）を設置可能なシート状部材設置部としての指示書設置部５２が設けられる。つまり、上記のように、段積みされた蓋付き容器１のうち最上段の蓋付き容器１の蓋部材４を逆向きとして、その内側に容器本体２を収容し、当該容器本体２に物品を収容する作業を行う場合には、例えば、最上段の蓋付き容器１の蓋部材４を取外した際に、蓋付き容器１に予め収容されていた指示書を、逆向きとした蓋部材４の内側に設置し、当該指示書の上方に容器本体２を収容した後、当該蓋付き容器１を、再度、段積み状態とする。これにより、透明、又は、半透明な底壁部１１を介して、指示書を目視しつつ、物品の収容作業を行うことが可能になる。
【００４３】
さらに、図１３の上から１段目の蓋付き容器１と、上から２段目の蓋付き容器１との関係のように、天板部３１の上面の上側に逆向きの蓋部材４を載置した状態においては、下側の蓋部材４の天板部３１の上面と、その上側に設置された逆向きの蓋部材４の天板部３１との間に、下側の蓋部材４と、上側の逆向きの蓋部材４との段積み突部３９によって囲まれ、指示書（シート状部材）を設置可能なシート状部材設置部としての指示書設置部５２（図１５参照）が設けられる。つまり、図１３に示すように、段積みされた蓋付き容器１のうち最上段の蓋付き容器１の蓋部材４を逆向きとして、その内側に容器本体２を収容し、当該容器本体２に物品を収容する作業を行う場合には、例えば、蓋付き容器１に予め収容されていた指示書を、逆向きとされる蓋部材４の下側（その下側に蓋付き容器１が存在する場合には、下側の蓋付き容器１の蓋部材４の上面）に設置し、蓋部材４が逆向きとされた蓋付き容器１を、再度、段積み状態とする。或いは、蓋付き容器１の段積み作業に際して、予め、蓋付き容器１の底壁部１１の下側（その下側に蓋付き容器１が存在する場合には、下側の蓋付き容器１の蓋部材４の上面）に指示書を設置しておき、最上段の蓋付き容器１への収容作業を行う場合には、単に、最上段の蓋付き容器１の蓋部材４を逆向きとしてその内側に容器本体２を収容して、再度、段積み状態とする。これにより、透明、又は、半透明な底壁部１１、及び、天板部３１を介して、指示書を目視しつつ、物品の収容作業を行うことが可能になる。
【００４４】
尚、蓋付き容器１への物品の収容作業に際して、指示書をどのように設置するのかについては、作業状況や作業内容等に応じて作業者等が適宜選択することができる。
【００４５】
以上詳述したように、本実施形態によれば、蓋部材４の長辺側縁壁部３２の外面側に傾斜支持突部３７が設けられることにより、蓋部材４を、その一方の長辺側縁壁部３２の外面側を接地させるようにして（一対の傾斜支持突部３７が接地されることとなる）起立姿勢とした場合に、天板部３１を上方に向けて容器本体２から離間する側により大きく傾斜させることができる。従って、蓋部材４が起立姿勢で保持された状態において、蓋部材４の天板部３１と、容器本体２のうち蓋部材４に挿入された長辺側側壁部１２との間に指示書の下部を挿入可能とする指示書挿入部５１を確実に形成することができるとともに、指示書を起立姿勢の蓋部材４の天板部３１の裏面に立て掛けることで、指示書が作業者から見易い角度とされる上、指示書が容器本体２側に傾倒してしまうといった事態を回避することができる。また、天板部３１に立て掛けられた指示書の下部は、指示書挿入部５１に挿入されていることから、指示書の下部が容器本体２側にスライド変位して脱落してしまうといった事態をより確実に防止することができる。結果として、指示書を見易い位置に安定して設置することができ、指示書を確認しつつ物品を容器本体２の規定の位置に収容する際の作業性の向上を図ることができる。加えて、指示書を天板部３１に固定するためのテープ等を貼着しなくても済むことから、物品の収容作業性の向上を図るとともに、テープ等の剥がし忘れ、及び、剥がし残しの発生を回避することができる。
【００４６】
さらに、容器本体２の底壁部１１は、一側部側が起立姿勢にある蓋部材４の内側に挿入されて、傾斜支持突部３７が設けられた長辺側縁壁部３２の内面の上側に載置される。このため、底壁部１１は、蓋部材４側に向けて若干上方傾斜することとなる。従って、容器本体２を挟んで、起立姿勢の蓋部材４と向き合わせで物品の収容作業を行う作業者にとって、容器本体２の内部が手前側に若干下方傾斜し、容器本体２の内部が比較的見易くなるとともに、容器本体２に対する物品の出し入れを比較的行い易くすることができる。結果として、物品の収容作業性の向上をより一層図ることができる。特に、作業者に対して比較的高い位置に設置されている容器本体２に対して物品の収容作業を行う場合（例えば、所定の作業者にとって作業台や製造ラインのコンベアの位置が高くなる場合）には、かかる作用効果がより顕著に奏される。
【００４７】
加えて、容器本体２と、蓋部材４とが回動可能に連結される場合のように、連結部分が損傷し、場合によっては使用できなくなってしまうといった事態を回避することができる。また、傾斜支持突部３７が設けられることによって、蓋部材４が起立姿勢とされた状態では、傾斜支持突部３７が設けられた長辺側縁壁部３２は、天板部３１側に向けて下方傾斜する。これにより、指示書の下端部が当該長辺側縁壁部３２の内面に当接して支持される場合に、指示書の下端部の容器本体２側への変位が規制されることとなり、指示書の設置状態の安定化を図ることができる。
【００４８】
さらに、傾斜支持突部３７は、長辺側縁壁部３２の上端部側から下端部側に向けて外方に傾斜して延び、蓋部材４を起立姿勢とする場合に面で接地可能な支持面３８を備えている。このため、蓋部材４が起立姿勢にある状態において、傾斜支持突部３７による支持状態の安定化を図ることができる。また、傾斜支持突部３７、及び、その周辺部位の剛性を高めることができ、同部位の損傷等を抑制することができる。
【００４９】
また、容器本体２が蓋部材４で閉塞された状態の蓋付き容器１同士を上下に積み重ねた場合に、下側の蓋付き容器１の蓋部材４の段積み突部３９と、上側の蓋付き容器１の容器本体２の支持リブ１６とが水平方向において係止状態とされる。このため、水平方向における位置ずれを防止しつつ、蓋付き容器１を積み重ねる（段積みする）ことができ、運搬作業性の向上、保管に際しての利便性の向上等を図ることができる。
【００５０】
さらに、蓋部材４に設けられた複数の段積み突部３９は、天板部３１の中央部を中心として点対称形状をなすようにして設けられており、天板部３１の上面側同士を向かい合わせとして蓋部材４同士を上下に重ねた場合、蓋部材４と、当該蓋部材４に載置された逆向きの蓋部材４との段積み突部３９同士が水平方向において当接又は近接する（略係止状態とされる）ように構成されている。このため、段積みされた蓋付き容器１のうち最上段の蓋付き容器１に関し、蓋部材４を取外して逆向きとし、当該蓋部材４の内側に容器本体２の下部を収容するとともに、当該蓋付き容器１を、再び、容器本体２が蓋部材４で閉塞された蓋付き容器１に載置する（段積みする）ことで、蓋付き容器１の段積み状態を維持したまま、物品を収容する作業を上側の蓋付き容器１から順次行うことができる。また、例えば、蓋付き容器１に収容された物品の展示を行うこともできる。結果として、物品の収容作業性の向上、利便性の向上等を図ることができる。
【００５１】
さらに、本実施形態では、段積みされた蓋付き容器１のうち最上段の蓋付き容器１の蓋部材４を逆向きとして内側に容器本体２を収容し、当該容器本体２に物品を収容する作業を行う場合に、例えば、容器本体２の内側に収容されていた指示書を逆向きとした蓋部材４の内側に設置し、当該指示書の上方に容器本体２を収容することで、透明、又は、半透明な底壁部１１を介して、指示書を目視することができる。従って、物品の設置位置の真下に指示書を設置することができ、物品の配置がより認識し易くなる。これにより、指示書を確認しつつ物品を容器本体２の規定の位置に収容する際の作業性の向上を図ることができる。また、物品の収容作業の最中は、指示書が蓋部材４の内側に設置されていることから、指示書が脱落する等の事態を回避することができる。さらに、物品の収容作業が終わった場合には、容器本体２を逆向きの蓋部材４から取出すことで、逆向きの蓋部材４の内側に設置された指示書を取出すことができる。
【００５２】
加えて、段積みされた蓋付き容器１のうち最上段の蓋付き容器１の蓋部材４を逆向きとして内側に容器本体２を収容し、当該容器本体２に物品を収容する作業を行う場合に、例えば、容器本体２の内側に収容されていた指示書を、下側の蓋付き容器１の天板部３１の上面に設置し、最上段の蓋付き容器１を段積みすることで、透明、又は、半透明な底壁部１１、及び、天板部３１を介して、指示書を目視することができる。従って、物品の設置位置の真下に指示書を設置することができ、物品の配置がより認識し易くなる。これにより、指示書を確認しつつ物品を容器本体２の規定の位置に収容する際の作業性の向上を図ることができる。また、物品の収容作業の最中は、指示書が段積み突部３９によって囲まれていることから、指示書が脱落する等の事態を回避することができる。さらに、物品の収容作業が終わった場合には、蓋付き容器１を段積みの列から取外すことで、当該蓋付き容器１の下方に設置された指示書を取出すことができる。
【００５３】
また、例えば、蓋付き容器１を段積みする段階で、各蓋付き容器１の下側に指示書を設置しておけば、最上段の蓋付き容器１の蓋部材４を逆向きとして容器本体２を収容し、段積みするだけで、当該最上段の蓋付き容器１の底壁部１１、及び、天板部３１を介して、指示書を視認可能とすることができる。
【００５４】
尚、段積み突部３９は、起立姿勢とする蓋部材４を阻害しないように設けることができる。さらに、傾斜支持突部３７は、長辺側縁壁部３２から蓋部材４の外周側に突出して設けられており、蓋部材４を逆向きとしてその内側に容器本体２を底壁部１１側から挿入させる際に、容器本体２と傾斜支持突部３７とが干渉することがない。従って、蓋部材４を起立姿勢として、その天板部３１の裏面に指示書を立て掛ける構成と、段積みされた蓋付き容器１のうち最上段の蓋付き容器１の蓋部材４を逆向きとして、その内側に容器本体２を収容し、当該蓋付き容器１を再び段積みする場合に、逆向きとされた蓋部材４の天板部３１と、当該蓋部材４に収容された容器本体２の底壁部１１との間、或いは、最上段の蓋付き容器１の逆向きとされた蓋部材４の天板部３１と、その下段の蓋付き容器１の蓋部材４の天板部３１との間に指示書を設置する構成とを共存させることができる。
【００５５】
尚、上記実施形態の記載内容に限定されず、例えば次のように実施してもよい。勿論、以下において例示しない他の応用例、変更例も当然可能である。
【００５６】
（ａ）上記実施形態では、容器本体２に収容される物品の仕切りとしてインナー容器３が設けられているが、インナー容器３を省略し、容器本体２の内側に対して仕切りの壁を一体的に設けたり、仕切りの壁を別体で構成して容器本体２の内側に設置したりすることとしてもよい。また、底壁部１１の上面側において、支持突部２４と係止状態とされて、インナー容器３の水平方向における位置ずれを防止する位置決め部を設けること（例えば、底壁部１１を格子状に構成する等）としてもよい。尚、インナー容器３の支持突部２４を省略することも可能である。さらに、物品自体が例えば箱状をなして、容器本体２に物品を詰めて収容すると物品同士が当接して位置決めがなされるような場合には、インナー容器３等の仕切りを省略することも可能である。
【００５７】
（ｂ）また、傾斜支持突部３７の形状、数、及び、位置は限定されるものではなく、長辺側縁壁部３２側を接地させるようにして蓋部材４を起立姿勢とした場合に、天板部３１をより大きく傾けることができるように構成されていればよい。例えば、傾斜支持突部３７は、長辺側縁壁部３２の下端部近傍部位から外方に突出する断面略半円形状の突起により構成することとしてもよい。尚、傾斜支持突部３７は、起立姿勢にある蓋部材４の安定性を高めるべく、長辺側縁壁部３２の両側部寄りの部位においてそれぞれ設けられることが望ましい。
【００５８】
加えて、起立姿勢の蓋部材４に対して一方の長辺側側壁部１２側が挿入されて、起立姿勢の蓋部材４を保持する容器本体２の保持状態の安定化を図るべく、支持リブ１６（底壁部１１の短側辺部に対応する部位）の下辺部において、起立姿勢にある蓋部材４のうち接地された傾斜支持突部３７が設けられた長辺側縁壁部３２の内面の下端部が挿入される側面視略三角形状の凹部を設けることとしてもよい。
【００５９】
（ｃ）上記実施形態では、容器本体２を支持する支持リブ１６が本体側段積み位置決め手段を構成しているが、支持リブ１６とは別に、天板部３１の上面の上側に、底壁部１１の下面を載置した場合に、蓋側段積み突部３９と係止状態とされる本体側段積み突部（支持リブ１６と突出長が同じ、又は、それよりも短い）を設けることとしてもよい。当該本体側段積み突部としては、例えば、蓋部材４の蓋側段積み突部３９の配置を天板部３１の平面視中央部を含む短手方向に沿って延びる直線に対して反転させたような位置に設けられることとしてもよい。さらに、当該構成を採用する場合には、支持リブ１６を省略することも可能である（その場合、容器本体２は、本体側段積み突部において設置面と当接して支持される）。
【００６０】
また、支持リブ１６の形状等についても特に限定されるものではなく、支持リブ１６の内周側に格子状のリブを設けることとしてもよいし、支持リブ１６を内周側のリブと外周側のリブとの２層にして両者間を連結するリブを設けることとしてもよい。さらに、上記実施形態では、支持リブ１６の底壁部１１からの突出長と、段積み突部３９の天板部３１からの突出長とが同じとなっているが、支持リブ１６が段積み突部３９よりも短く、蓋付き容器１を段積みした場合に、上側の蓋付き容器１が底壁部１１において下側の蓋付き容器の段積み突部３９の上面に当接して支持される構成としてもよい。この場合、段積みされた上下の蓋付き容器１の間に指示書を設置するような場合に、上側の蓋付き容器１の支持リブ１６が、その下側に位置する蓋付き容器１の蓋部材４に設置された指示書に載置されるといった事態を回避することができる。
【００６１】
（ｄ）上記実施形態では特に言及していないが、側壁部１２、１３、及び、縁壁部３２、３３の外面側には、例えば、収容されている物品に関する情報等が記載されたシール等の情報手段が取着される情報取着部が設けられている。情報取着部は、情報取着部に取着された情報手段の損傷を抑制するべく、その周辺部よりも一段奥まった位置となるように段差状に設けられている。
【００６２】
また、上記実施形態では、容器本体２、及び、蓋部材４が透明、又は、半透明な材料により構成されているが、容器本体２のみを透明材料で構成するとともに、蓋部材４を不透明材料で構成し、段積み状態にある蓋付き容器１のうち最上段の蓋付き容器１に物品を収容する作業に際しては、逆向きとされた蓋部材４と、その内側に収容された容器本体２との間に指示書を設置することとしてもよい。加えて、容器本体２、及び、蓋部材４において、透明、又は、半透明な材料により構成されている領域（対象の範囲や対象の形状）については特に限定されるものではなく、例えば、容器本体２のうち底壁部１１を透明とし、側壁部１２、１３を不透明としてもよいし、蓋部材４のうち天板部３１を透明とし、縁壁部３２、３３を不透明としてもよい。さらに、例えば、底壁部１１において、透明な領域（例えば、底壁部１１のうち支持リブ１６よりも内周側の範囲等）と、不透明な領域とが存在するように構成してもよい。尚、容器本体２、及び、蓋部材４の全体を不透明な材料で構成することも可能である。
【００６３】
また、蓋付き容器１を段積みするための構成については特に限定されるものではなく、例えば、支持リブ１６を底壁部１１の外周縁に沿って設けるとともに、蓋部材４の段積み突部３９を省略する代わりに、天板部３１の外周部位を一段低く構成して、当該段部の内周側が支持リブ１６の内周側に嵌入するような構成としてもよい。尚、支持リブ１６や段積み突部３９を省略する等、段積みを行うことのできない蓋付き容器に適用することも可能である。
【００６４】
（ｅ）上記実施形態では特に言及していないが、起立姿勢にある蓋部材４の天板部３１の裏面に立て掛けられる指示書については、蓋部材４の長辺側縁壁部３２及び短辺側縁壁部３３の内周側に収まる大きさに構成される。さらに、当該指示書の下端部付近は容器本体２の長辺側側壁部１２と、天板部３１との間に挿入されることから、挿入される部位よりも上方の範囲に、物品の配置を示す記載の必要事項が収まるようにすることが望ましい。尚、蓋部材４の天板部３１に対し長辺側縁壁部３２よりも蓋部材４の短手幅の中央部側の位置において裏面から突出し、起立姿勢にある蓋部材４の天板部３１の裏面に立て掛けられた指示書の下端部を支持可能な受突部（例えば、天板部３１の長手方向に延びる突出長の小さなリブ）を設けることとしてもよい。
【００６５】
さらに、蓋付き容器１の段積み状態において参照される指示書に関し、逆向きとされた蓋部材４の内側に指示書を設置することで、指示書の外周縁が、縁壁部３２、３３の内面に当接、又は、近接するように構成することとしてもよい。この場合、指示書の位置決めを行うことができ、容器本体２に収容される物品の位置をより的確に指示することが可能となる。また、当該指示書に関しては、逆向きとされた蓋部材４の内側に収容された容器本体２の支持リブ１６よりも内周側の範囲に、物品の配置を示す記載の必要事項が収まるようにすることが望ましい。
【００６６】
また、蓋付き容器１の段積み状態において参照される指示書に関し、蓋部材４の上面側に指示書を設置することで、指示書の外周縁が、蓋部材４に設けられた複数の（全ての）段積み突部３９の内側面に当接、又は、近接するように構成することとしてもよい。この場合、指示書の位置決めを行うことができ、容器本体２に収容される物品の位置をより的確に指示することが可能となる。
【００６７】
（ｆ）上記実施形態では、シート状部材として指示書に具体化されているが、特にかかる構成に限定されるものではなく、シート状のもの、或いは、シート状のものを（それほど厚くならないように）複数枚重ねた冊子状のものであればよい。例えば、蓋付き容器１の内容物が楽器（例えば、鍵盤ハーモニカ等）の場合には「楽譜」であってもよいし、内容物が家電・機械・工具等の装置類の場合には「取扱説明書・シート」であってもよいし、蓋付き容器１が弁当箱の場合には、「各食材の説明書き」であってもよい。このように、シート状部材としては、内容物に関する情報等（図や写真等も含まれる）が記されているものを挙げることができる。
【００６８】
（ｇ）上記実施形態では、容器本体２、インナー容器３、及び、蓋部材４はポリプロピレンにより構成されているが、ポリエチレン、ＰＥＴ、ポリアミド等その他の樹脂材料により構成されることとしてもよい。また、ロック部材４１等のロック機構を省略することも可能である。
【符号の説明】
【００６９】
１…蓋付き容器、２…容器本体、３…インナー容器、４…蓋部材、１１…底壁部、１２…長辺側側壁部、１３…短辺側側壁部、１６…支持リブ、３１…天板部、３２…長辺側縁壁部、３３…短辺側縁壁部、３７…傾斜支持突部、３８…支持面、３９…段積み突部、５１…指示書挿入部、５２…指示書設置部。
【図１】
2018203337.tif 000003
【図２】
2018203337.tif 000004
【図３】
2018203337.tif 000005
【図４】
2018203337.tif 000006
【図５】
2018203337.tif 000007
【図６】
2018203337.tif 000008
【図７】
2018203337.tif 000009
【図８】
2018203337.tif 000010
【図９】
2018203337.tif 000011
【図１０】
2018203337.tif 000012
【図１１】
2018203337.tif 000013
【図１２】
2018203337.tif 000014
【図１３】
2018203337.tif 000015
【図１４】
2018203337.tif 000016
【図１５】
2018203337.tif 000017